(57)【要約】【課題】入浴者にとって最適の位置で、洗面器や水栓金具を扱えるシステムバスの提供。【解決手段】浴槽４と、これに隣接して配置される洗い場５と、この洗い場５の壁１０に設置高さを変更可能に設けられるテーブル６と、このテーブル６の設置高さの変更に伴い設置高さを変更される水栓金具７とを備える。テーブル６は、洗い場５の床からの設置高さを、複数段階に変更可能とされるか、操作部１８の操作により無段階に変更可能とされる。テーブル６の昇降に伴い、水栓金具７だけでなく、ミラー８やシャワーヘッド１５も一緒に昇降させるのが好ましい。【選択図】図１
2011036350.tif 000002
【特許請求の範囲】
【請求項１】
浴槽と、
この浴槽に隣接して配置される洗い場と、
この洗い場の壁に、設置高さを変更可能に設けられるテーブルと、
このテーブルの設置高さの変更に伴い設置高さを変更される水栓金具と
を備えることを特徴とするシステムバス。
【請求項２】
前記テーブルは、前記洗い場の床からの設置高さを、複数段階に変更可能とされるか、操作部の操作により無段階に変更可能とされ、
前記テーブルの昇降に伴い、ミラーおよび前記水栓金具も一緒に昇降される
ことを特徴とする請求項１に記載のシステムバス。
【請求項３】
前記テーブルは、そのテーブル面を前記洗い場の床から６０〜７５ｃｍの範囲に含まれる高さにもできるように、設置高さを変更可能とされ、
前記テーブルには、洗面器を載せることができ、
前記テーブルに前記洗面器を載せた状態で前記洗面器に給水可能な吐水部を、前記水栓金具が有する
ことを特徴とする請求項１または請求項２に記載のシステムバス。
【請求項４】
前記洗い場で用いられるイスとして、座面が前記洗い場の床から３０ｃｍまでの比較的低いイスと、座面が前記洗い場の床から４０〜５０ｃｍの比較的高いイスとのいずれかが用いられ、
いずれのイスが用いられても、そのイスに座ったまま前記テーブル上の洗面器を取り扱い可能に、前記テーブルの昇降高さの変更範囲が設定された
ことを特徴とする請求項３に記載のシステムバス。
【発明の詳細な説明】
【技術分野】
【０００１】
本発明は、浴室を構成するためのシステムバスに関するものである。
【背景技術】
【０００２】
従来、浴槽や洗い場を備える浴室を形成するに際し、ユニットバスやシステムバスと呼ばれるように、予め作っておいたパーツを組み合わせて、浴室の床、壁、天井および浴槽などを形成することが知られている。
【０００３】
また、従来、浴室では、風呂イスと呼ばれる比較的座面の低い専用のイスが一般的に用いられている。ところが、そのような低い座面を有する風呂イスに座ったり、風呂イスから立ち上がったりするのは、足腰に負担をかけるものである。特に、高齢者にとっては負担である。
【０００４】
このような負担を考慮し、主として介護用として、比較的座面の高いイスも市販されている。ところが、水栓金具などは、高さを変更できず、従来からの風呂イスでの使用を前提とした高さに固定されているので、イスだけが高くなっても使い勝手が悪かった。
【０００５】
また、下記特許文献１に開示される浴室ユニットも提案されている。この浴室ユニットでは、浴室壁面に寄りかかりつつゆったりとした姿勢をとれるカウンターを設置し、そのカウンターに着座した状態で、そのカウンターに洗面器も置いて使えるものである。あるいは、従来からの風呂イスに着座した状態で、カウンターに洗面器を置いて使えるものである。
【０００６】
しかしながら、カウンターに座りつつ、同じ高さの同じカウンターに置いた洗面器を扱うことは、使い勝手が悪い。また、カウンターの高さは、依然として低く、従来の風呂イスと大差がなく、足腰への負担の軽減はあくまでも、カウンターを浴室壁面に沿って配置することで実現されている。
【０００７】
さらに、従来からの風呂イスに着座した状態で、カウンターに洗面器を置いて使う場合でも、カウンターの高さは固定されているので、風呂イスの高さによっては使い勝手が悪い。仮にカウンターの高さを変更するとしても、水栓金具やミラーの位置が固定されているのでは、使い勝手に改善の余地がある。
【０００８】
また、従来のシステムバスにおいて、通常のテーブルや机のように、比較的高い箇所にテーブル面を有し、そのテーブルに洗面器を置いて、水栓金具の吐水部から水や湯を洗面器に注げるものはない。
【先行技術文献】
【特許文献】
【０００９】
【特許文献１】特開２００８−１５４９９６号公報（段落番号０００２、００５４、図１０および図１３）
【発明の概要】
【発明が解決しようとする課題】
【００１０】
本発明が解決しようとする課題は、入浴者にとって最適の位置で、洗面器や水栓金具を扱えるようにすることにある。また、イスに座ったり、イスから立ち上がったりする際の負担を軽減するために、比較的座面の高いイスを使用する場合でも、使い勝手のよいシステムバスを提供することを課題とする。さらに、従来の風呂イスのように比較的座面の低いイスと、従来の介護イスのように比較的座面の高いイスとの双方に対応可能なシステムバスを提供することにある。
【課題を解決するための手段】
【００１１】
本発明は、前記課題を解決するためになされたもので、請求項１に記載の発明は、浴槽と、この浴槽に隣接して配置される洗い場と、この洗い場の壁に、設置高さを変更可能に設けられるテーブルと、このテーブルの設置高さの変更に伴い設置高さを変更される水栓金具とを備えることを特徴とするシステムバスである。
【００１２】
請求項１に記載の発明によれば、テーブルの設置高さが変更可能であると共に、テーブルの設置高さの変更に伴い水栓金具の設置高さも変更される。これにより、入浴者にとって最適の位置で、洗面器や水栓金具を扱うことができる。また、たとえば、イスに座ったり、イスから立ち上がったりする際の負担を軽減するために、比較的座面の高いイスを使用する場合でも、使い勝手が悪くなるのを防止することができる。
【００１３】
請求項２に記載の発明は、前記テーブルは、前記洗い場の床からの設置高さを、複数段階に変更可能とされるか、操作部の操作により無段階に変更可能とされ、前記テーブルの昇降に伴い、ミラーおよび前記水栓金具も一緒に昇降されることを特徴とする請求項１に記載のシステムバスである。
【００１４】
請求項２に記載の発明によれば、テーブルの昇降に伴い、水栓金具だけでなくミラーも上下動するので、使い勝手を常に最適に保つことができる。
【００１５】
請求項３に記載の発明は、前記テーブルは、そのテーブル面を前記洗い場の床から６０〜７５ｃｍの範囲に含まれる高さにもできるように、設置高さを変更可能とされ、前記テーブルには、洗面器を載せることができ、前記テーブルに前記洗面器を載せた状態で前記洗面器に給水可能な吐水部を、前記水栓金具が有することを特徴とする請求項１または請求項２に記載のシステムバスである。
【００１６】
請求項３に記載の発明によれば、テーブルを６０〜７５ｃｍの範囲に含まれる高さに設置できるので、比較的座面の高いイスとの相性がよい。しかも、テーブルには、洗面器を載せることができ、テーブルに洗面器を載せた状態で洗面器に給水可能であるから、腰をかがめることなく、洗面器を扱うことができる。
【００１７】
さらに、請求項４に記載の発明は、前記洗い場で用いられるイスとして、座面が前記洗い場の床から３０ｃｍまでの比較的低いイスと、座面が前記洗い場の床から４０〜５０ｃｍの比較的高いイスとのいずれかが用いられ、いずれのイスが用いられても、そのイスに座ったまま前記テーブル上の洗面器を取り扱い可能に、前記テーブルの昇降高さの変更範囲が設定されたことを特徴とする請求項３に記載のシステムバスである。
【００１８】
請求項４に記載の発明によれば、従来の風呂イスのように比較的座面の低いイスと、従来の介護イスのように比較的座面の高いイスとの双方に対応可能とすることができる。
【発明の効果】
【００１９】
本発明によれば、テーブルや水栓金具の設置高さを所望に設定することで、入浴者にとって最適の位置で、洗面器や水栓金具を扱うことができる。また、イスに座ったり、イスから立ち上がったりする際の負担を軽減するために、比較的座面の高いイスを使用する場合でも、使い勝手が悪くなるのを防止することができる。さらに、従来の風呂イスのように比較的座面の低いイスと、従来の介護イスのように比較的座面の高いイスとの双方に対応可能とすることもできる。
【図面の簡単な説明】
【００２０】
【図１】本発明のシステムバスの一実施例を示す概略斜視図である。
【図２】図１のシステムバスの使用状態を示す概略縦断面図であり、比較的座面の高いイスでの使用状態を示している。
【図３】図１のシステムバスの使用状態を示す概略縦断面図であり、比較的座面の低いイスでの使用状態を示している。
【発明を実施するための形態】
【００２１】
以下、本発明の具体的実施例を図面に基づいて詳細に説明する。
図１は、本発明のシステムバス１の一実施例を示す概略斜視図である。また、図２および図３は、本実施例のシステムバス１の使用状態を示す概略縦断面図であり、図２は比較的座面の高いイス２での使用状態、図３は比較的座面の低いイス３での使用状態を示している。
【００２２】
本実施例のシステムバス１は、浴槽４、洗い場５、テーブル６および水栓金具７を備える他、好ましくはさらに、ミラー８およびシャワー９などを備える。また、洗い場５には、テーブル６やミラー８と対面するように、イス３（または４）が置かれて使用される。
【００２３】
洗い場５は、浴槽４に隣接して床がはられて構成される。浴槽４および洗い場５は、壁および天井により囲まれる。壁には、扉付きの出入り口（図示省略）が設けられると共に、所望により窓（図示省略）が設けられる。また、壁または天井には、照明器具（図示省略）が設けられると共に、換気扇または換気口（図示省略）が設けられる。
【００２４】
テーブル６は、洗い場５の壁１０に対し垂直に突出するよう設けられる。テーブル６は、文字通りテーブル状であってもよいし、カウンター状であってもよい。テーブル６の大きさや形状は、特に問わないが、上面（テーブル面）は、物が置けるように、水平面に形成されるのが好ましい。たとえば、シャンプーやリンスのボトルや、石鹸などを置くことができるのが好ましい。また、テーブル６は、洗面器１１を載せることができるのが好ましい。
【００２５】
但し、テーブル６は、テーブル面に水が溜まるのを防止するために、テーブル面が若干の傾斜面とされていてもよい。この際、テーブル６の一部に排水口として、テーブル６を上下に貫通する穴を開けておき、テーブル面の水がその排水口から洗い場５の床に自然に流れ落ちるように、テーブル面全体の傾斜を設定してもよい。あるいは、テーブル６の一部または全部が、パンチングメタル、メッシュまたはスノコ状などに形成されることで、テーブル面に水が溜まるのを防止してもよい。さらに、テーブル６は、所望により、テーブル面が壁面と平行になるように、折り畳み可能とされてもよい。
【００２６】
水栓金具７は、吐水部１２を有すると共に、システムバス１がシャワー９を有する場合にはさらにそのシャワー９にも接続される。本実施例では、水栓金具７は、吐水部１２を構成する吐水管１３を有すると共に、シャワーホース１４を介してシャワーヘッド１５に接続される。吐水管１３は、基端部が垂直軸まわりに回転可能に水栓金具７の本体に接続され、先端部は下方へ向けて吐水口１６を有する。一方、シャワーホース１４は、基端部が水栓金具７の本体に接続され、先端部にシャワーヘッド１５が設けられる。
【００２７】
洗い場５の壁１０などには、シャワーヘッド１５を掛けるためのシャワーフック１７が設けられており、そのシャワーフック１７にシャワーヘッド１５が着脱可能に保持される。なお、上下に離隔して複数箇所にシャワーフック１７を設けておき、そのいずれのシャワーフック１７にシャワーヘッド１５を引っ掛けるかにより、シャワーヘッド１５の位置を調整してもよい。あるいは、洗い場５の壁１０には、上下方向へ沿ってバー（図示省略）を設けておき、そのバーに沿ってシャワーフック１７の位置を任意に調整可能とすることで、シャワーヘッド１５の位置を調整してもよい。
【００２８】
水栓金具７は、ハンドル、レバーまたはボタンなどの操作により、吐水部１２（つまり吐水管１３）から水を出すか、シャワー９から水を出すかを択一的に切り替えることができる。その際、水として、所望温度の湯を出すこともできる。その温度や水量も適宜調整可能とされる。
【００２９】
水栓金具７の吐水部１２は、テーブル６の上に洗面器１１を載せた状態で、その洗面器１１に給水可能な位置に設けられるのが好ましい。たとえば、吐水部１２は、その吐水口１６がテーブル面から２５〜３０ｃｍ上方位置に配置されて、洗い場の壁１０またはテーブル６などに設けられる。
【００３０】
ミラー８は、洗い場５の壁１０の内、テーブル６と対応した位置に設けられる。その際、ミラー８は、少なくともテーブル面より上方において露出するように設けられる。
【００３１】
ところで、テーブル６は、設置高さを変更可能に設けられるのがよい。その際、その設置高さは、複数段階に変更可能であってもよいし、操作部１８の操作により、無段階に変更可能であってもよい。前者の場合、テーブル６の上下方向の設置高さを複数箇所のいずれかから選択してシステムバス１を構築してもよいし、構築されたシステムバス１の洗い場５の壁１０に上下方向複数箇所にフックなどのテーブル保持部を設けておき、そのいずれのテーブル保持部を用いてテーブル６を保持するかにより、テーブル６の設置高さを変更可能としてもよい。また、後者の場合、操作部１８として、ボタン、レバーまたはペダルなどが用いられ、操作部１８の操作により、テーブル６が自動的に上昇または下降するよう構成される。その具体的な構成は、特に問わないが、たとえばモータまたは油圧シリンダーなどを用いて達成することができる。
【００３２】
本実施例のシステムバス１は、テーブル６の設置高さが変更可能とされると共に、テーブル６の設置高さの変更に伴い水栓金具７の設置高さも変更可能とされる。さらに、テーブル６の昇降に伴い、水栓金具７だけでなくミラー８および／またはシャワーヘッド１５の設置高さも変更されるのが好ましい。
【００３３】
たとえば、テーブル６の奥側（壁１０側）に、壁１０に沿うよう上方へ向けてフレーム１９を設けておき、このフレーム１９にミラー８やシャワーフック１７を設けておくのである。そして、ミラー８やシャワーフック１７が設けられたフレーム１９付きのテーブル６全体を上下に昇降させればよい。たとえば図示例では、フレーム１９は一部においてネジ棒２１にねじ込まれており、フレーム１９の左右がガイド棒２０，２０で案内されつつ、ネジ棒２１がモータ２２で回転されることで、フレーム１９が上下動される。ガイド棒２０およびネジ棒２１は、洗い場５の壁１０に保持されており、またネジ棒２１は回転可能である。そして、ネジ棒２１の正転または逆転は、テーブル６の近傍に設けた操作部１８（図示例では上昇用と下降用の各ボタン）の操作により、モータ２２を制御してなされる。但し、フレーム１９を上下動させる構成は、これに限定されず、各種の構成を使用できるのは言うまでもない。なお、フレーム１９には、図示例のように、各種の棚２３を設けてもよい。
【００３４】
本実施例のシステムバス１によれば、テーブル６の位置を上下に調整可能であるから、入浴者Ｍにとって最適の位置で、洗面器１１や水栓金具７などを扱うことができる。また、シャワーフック１７にシャワーヘッド１５を保持した状態で、テーブル６を上下動することでシャワーヘッド１５の高さを変更することができる。
【００３５】
洗い場５で用いるイスとしては、従来の風呂イスのように、比較的座面の低いイス３を用いることもできるが（図３）、従来の介護イスのように、比較的座面の高いイス２を用いることもできる（図２）。但し、比較的座面の高いイスといっても、介護用に限らず、健常者用であってもよいことは言うまでもない。健常者用の場合、背もたれを省略するなど、デザイン性を高めたイスを用いることもできる。
【００３６】
各イス２，３の座面の具体的な高さは、特に限定されないが、たとえば、座面が洗い場５の床から３０ｃｍまで（典型的には２０〜３０ｃｍ）の比較的低いイス３と、座面が洗い場５の床から４０〜５０ｃｍの比較的高いイス２とのいずれかを用いることができる。
【００３７】
比較的座面の低いイス３を用いる場合を図３に示し、比較的座面の高いイスを用いる場合を図２に示している。これらの図において、テーブル６の高さは一例であって、たとえばそれぞれの図において、テーブル６をより上方位置にして使用できるのは言うまでもない。一例として、比較的座面の低いイス３を用いる場合、テーブル６は、そのテーブル面を洗い場５の床からたとえば３５〜４５ｃｍの高さとする。一方、比較的座面の高いイス２を用いる場合、テーブル６は、そのテーブル面を洗い場５の床からたとえば６０〜７５ｃｍの高さとする。そして、いずれのイス２，３が用いられても、そのイス２，３に座ったままテーブル６上の洗面器１１を取り扱い可能に、テーブル６の昇降高さの変更範囲が設定されるのが好ましい。つまり、比較的座面の低いイス３と比較的座面の高いイス３の双方に対応できるように、テーブル６の昇降高さの変更範囲を設定すればよい。
【００３８】
本実施例のシステムバス１によれば、テーブル６の設置高さが変更可能であると共に、テーブル６の設置高さの変更に伴い水栓金具７やミラー８などの設置高さも変更される。これにより、入浴者にとって最適の位置で、洗面器１１や水栓金具７を扱うことができる。従って、たとえば、イス２，３に座ったり、イス２，３から立ち上がったりする際の負担を軽減するために、比較的座面の高いイス２を使用する場合でも、使い勝手が悪くなるのを防止することができる。また、イス２，３の高さを変えずに、テーブル６の高さを変えることで、使い勝手を調整可能とすることもできる。さらに、テーブル６には、洗面器１１を載せることができ、テーブル６に洗面器１１を載せた状態で洗面器１１に給水可能とすれば、腰をかがめることなく、洗面器１１を扱うことができ、一層使い勝手がよい。
【００３９】
本発明のシステムバス１は、前記実施例の構成に限らず適宜変更可能である。たとえば、前記実施例では、比較的座面の低いイス３と比較的座面の高いイス２とのいずれにも対応可能にテーブル６などの高さを変更可能としたが、比較的座面の高いイス２の使用を前提としつつ、それに座る入浴者Ｍの座高に応じて、テーブル６などの高さを比較的高い位置でのみ変更可能としてもよい。この場合、テーブル６は、そのテーブル面を洗い場５の床からたとえば６０〜７５ｃｍとなる範囲を含んだ範囲で調整可能とされる。また、前記実施例のシステムバス１において、複数段階でテーブル６の高さを変える場合、所定の高さに設置して、以後はその高さに固定して使用してもよい。
【符号の説明】
【００４０】
１  システムバス
２  比較的座面の高いイス
３  比較的座面の低いイス
４  浴槽
５  洗い場
６  テーブル
７  水栓金具
８  ミラー
９  シャワー
１０  洗い場の壁
１１  洗面器
１２  吐水部
１３  吐水管
１４  シャワーホース
１５  シャワーヘッド
１６  吐出口
１７  シャワーフック
１８  操作部
１９  フレーム
２０  ガイド棒
２１  ネジ棒
２２  モータ
２３  棚
【図１】
2011036350.tif 000003
【図２】
2011036350.tif 000004
【図３】
2011036350.tif 000005